(57)【要約】  【課題】例えば広告ポスターを見て商品に関心を寄せてもその場で商品を購入することができないと販売機会を逸してしまい、欲しいコンテンツが複数の雑誌にわたる場合には持ち運びにも料金にも負担が累加してしまう。また、広告の掲示にあたっては実態に即した料金設定の基準が望まれていた。  【解決手段】デジタル化したコンテンツの全て又は一部を格納する、若しくはこれらコンテンツを取得する為のＵＲＬ等の情報を格納するＩＣチップを設け、当該コンテンツに係る広告ポスターに内蔵し、又は当該ＩＣチップをシールに内蔵して広告ポスターに貼付し、加えて、これら広告ポスターを掲示する大型セットボード等に識別符号を格納したＩＣチップを付したことを特徴とするデジタルコンテンツ販売に関する媒体及び販売方法、並びに広告ポスターへのアクセス情報収集媒体及び収集方法を提供する。  【選択図】図１
2007034362.tif 000002
【特許請求の範囲】
【請求項１】
デジタルコンテンツの販売に介在するＩＣチップを内蔵した広告ポスターであって、
ＩＣチップにＩＣチップリーダライタを当該広告ポスターの特定位置に近接させ無線通信を行うことで読み込む当該広告ポスターに係るコンテンツの全て又は一部、若しくはネットワークへ接続して当該広告ポスターに係るコンテンツの全て又は一部を取得するＵＲＬ等、を格納したことを特徴とする。
【請求項２】
デジタルコンテンツの販売に介在するＩＣチップを内蔵したシールを当該デジタルコンテンツに係る広告ポスター等の表面又は裏面若しくは表面と裏面の両方に貼付したＩＣチップシール付き広告ポスターであって、
ＩＣチップにＩＣチップリーダライタを当該広告ポスターの特定位置に近接させ無線通信を行うことで読み込む当該広告ポスターに係るコンテンツの全て又は一部、若しくはネットワークへ接続して当該広告ポスターに係るコンテンツの全て又は一部を取得するＵＲＬ等、を格納したことを特徴とする。
【請求項３】
ＩＣチップを内蔵した広告ポスター、又はＩＣチップを内蔵したシールを広告ポスターに貼付したＩＣチップシール付き広告ポスターにおいて、
ＩＣチップに、それら広告ポスターに係るコンテンツの全て又は一部、若しくはネットワークへ接続してそれら広告ポスターに係るコンテンツの全て又は一部を取得する為のＵＲＬ等を格納し、ＩＣチップリーダライタをそれら広告ポスターの特定位置に近接させ無線通信を行うことにより広告ポスターに係るコンテンツを取得させるデジタルコンテンツの販売方法。
【請求項４】
請求項３に示すデジタルコンテンツの販売方法において使用するＩＣチップを内蔵した広告ポスター又はＩＣチップを内蔵したシールを広告ポスターに貼付したＩＣチップシール付き広告ポスターを、識別符号を格納したＩＣチップを付した大型セットボード等に掲示して、各種デジタルコンテンツ取得の為に近接させるＩＣチップリーダライタによって広告ポスターが具備するＩＣチップへアクセス履歴を書き込み、蓄積することを特徴とする広告成果に関するデータ収集方法。
【請求項５】
請求項４に示す広告成果に関するデータ収集方法における広告ポスターを複数枚陳列掲示し、各広告ポスターが蓄積するアクセス履歴を広告ポスターの設置場所ごとに特定する為のＩＣチップを具備したことを特徴とする大型セットボード。
【発明の詳細な説明】
【技術分野】
【０００１】
ＩＣチップを利用したデジタルコンテンツ販売に関する。
【背景技術】
【０００２】
ＩＣチップとリーダライタ間において相互の通信を対称形に行う無線通信方式がある。
【発明の開示】
【発明が解決しようとする課題】
【０００３】
例えば、電車内の中吊り広告や大型セットボード、駅ばりポスター、柱巻き、などの広告スペースにおいて、そこに掲示される広告を見て商品に関心を寄せても、その場で商品購入の検討や商品比較をすることができない。それは、消費者側にとっては当該広告に掲載される商品を記憶又は記録する必要があり煩わしく、販売者側にとっては、購入意欲が惹起されたときに販売できないと販売機会を逸してしまう。
【０００４】
こうした課題に対し、広告ポスター等にＵＲＬ情報を格納した二次元コードを直接印刷することでインターネットから当該広告ポスター等に係るコンテンツを提供する方法があるが、この場合、当初から広告ポスター等に二次元コードを印刷するスペースを設ける必要があり、外観を損ねてしまうという欠点があった。
【０００５】
また、雑誌のような複数のコンテンツを集合した商品の場合、消費者はコンテンツ全てについて購入しなければならず、欲しいコンテンツごとに購入することができなかった。そして、欲しいコンテンツが複数の雑誌にわたる場合には持ち運びにも料金にも負担が累加してしまう。
【０００６】
インターネット上でコンテンツごとに販売するサービスも存在するが、この場合は消費者が予め欲しいコンテンツ及び当該コンテンツの販売サイトを知っている必要があり、加えてコンテンツごとに異なるサイトに自らアクセスして内容を確認し決済を行う必要があり、利便性に欠くものであった。
【０００７】
他方、例えば駅広告では1日の平均乗降人員を基準に広告料金が設定されるが、乗降人員に対する広告成果の測定が困難であることから、より実態に則した料金設定基準が求められていた。
【課題を解決するための手段】
【０００８】
そこで本発明は、デジタル化したコンテンツの全て又は一部を格納する、若しくはこれらコンテンツを取得する為のＵＲＬ等の情報を格納するＩＣチップを設け、当該コンテンツに係る広告ポスターに内蔵、又はＩＣチップをシールに内蔵して広告ポスターに貼付して、当該広告ポスターの特定位置にＩＣチップリーダライタをかざし近距離無線通信を行うことでＩＣチップの情報を取得させるデジタルコンテンツ販売に関する媒体及び販売方法を提供する。
【０００９】
加えて、ＩＣチップを付したこれら広告ポスターを掲示する大型セットボード等に識別符号を格納したＩＣチップを付すことにより、各種広告ポスターが具備するＩＣチップへのアクセス履歴を収集する媒体及び収集方法を提供する。
【発明の効果】
【００１０】
広告を見る消費者が購買意欲を惹起するその場でコンテンツを販売することで広告宣伝と販売を同時に完結することができ、また、その場で購入しない場合であってもコンテンツに係る情報を保存しておくことにより広告の反復再生による時間的累積効果を得ることができる。
【００１１】
このように広告掲載のコンテンツを随時に購入できることに加えて、個別のコンテンツを異なる広告媒体から購入する場合であっても手順を増やすことなく単一の簡素な操作で完結し、
【００１２】
特にＩＣチップシールを広告ポスターの裏面に貼付した場合には、広告ポスターは外観上従前の機能を全く損なうことなく広告に新たな機能を付加させることができる。
【００１３】
また、大型セットボード等の広告スペースごとに識別符号を付与したことで、広告へのアクセス数に関して大型セットボード等ごとの情報収集を実現した。
【発明を実施するための最良の形態】
【００１４】
本発明を実施する一例として、雑誌広告に係るコンテンツ販売について説明する。図１に示すように、駅構内に設置される大型セットボードにおいて、大型セットボードを特定する為のＩＤを付与し、当該ＩＤ情報をＩＣチップに格納しシールに内蔵したＩＣチップ１を設け、ＩＣチップ１を大型セットボードの所定の位置に内蔵した大型セットボード２を設ける。
【００１５】
次に、大型セットボード２に掲示する複数の雑誌広告ポスターについて、それら雑誌に掲載する記事や読み物、論文、写真などのコンテンツをそれぞれデジタル情報に変換したデジタルコンテンツを設け、これらデジタルコンテンツを格納し該デジタルコンテンツを個別にダウンロードする為のＵＲＬと、集合物としてのコンテンツをダウンロードする為のＵＲＬを設け、個別のデジタルコンテンツをダウンロードするＵＲＬ情報をＩＣチップに格納しシールに内蔵したＩＣチップシール３と、デジタルコンテンツの集合物をダウンロードするＵＲＬ情報をＩＣチップに格納しシールに内蔵したＩＣチップシール４を設ける。
【００１６】
図２に示すように、ＩＣチップシール３はＩＣチップに格納したＵＲＬ情報に対応する記事や写真等の各コンテンツのタイトル位置に雑誌広告ポスターの表面又は裏面若しくは表面と裏面の両方から貼付し、ＩＣチップシール４はＩＣチップシールに格納したＵＲＬに対応する雑誌名のタイトル位置に雑誌広告ポスターの表面又は裏面若しくは表面と裏面の両方から貼付する。
【００１７】
ＩＣチップシール３及びＩＣチップシール４を雑誌広告ポスターの表面から、あるいは表面と裏面の両方から貼付した場合には、リーダライタをかざす位置目標をより明確に顕示することとなり、雑誌広告ポスターの裏面に貼付した場合には、予めシールを貼付するスペースを確保するなどの必要がなく、更には雑誌広告ポスターの外観を全く損ねることなく新たな機能を付加することとなる。
【００１８】
そこで、大型セットボード２に掲示される雑誌広告ポスターに係るコンテンツの全てを、又は個別に購入、あるいは購入しようとする際は、該当する雑誌又は該当する記事等のタイトル位置にＩＣチップリーダ搭載の携帯端末をかざし、ＩＣチップリーダライタとＩＣチップとを近接させることで近距離無線通信を行う。
【００１９】
近距離無線通信によりＩＣチップシール３及びＩＣチップシール４に内蔵するＩＣチップにＩＣチップリーダライタとの通信履歴が書き込まれ、ＩＣチップリーダはこれらＩＣチップが記憶するＵＲＬを読み込む。
【００２０】
そして、ＩＣチップリーダライタ搭載の携帯端末に読み込んだＵＲＬへ接続して所定の操作を行うことによって、ＩＣチップシール３の場合には個別のコンテンツを、ＩＣチップシール４の場合にはコンテンツの集合物をネットワークからダウンロード及び決済する。若しくは読み込んだＵＲＬを携帯端末に記憶させ随時にネットワークからダウンロードし決済する。
【００２１】
このように、コンテンツの集合物たる雑誌ごとに又はコンテンツごとにＵＲＬを設けることで、大型セットボードに掲示される複数のコンテンツ購入にあたって各々タイトル位置に携帯端末をかざすだけで購買準備が完了する。尚、かざすだけではコンテンツのダウンロード及び決済がされないので誤動作の心配がなく、予めＵＲＬを携帯端末に保存しておくことも可能となる。
【００２２】
ＩＣチップシールを付すことで雑誌広告ポスターに新たな機能が付加されるのに加え、大型セットボード２にはＩＣチップシール付き雑誌広告ポスターを陳列掲示することから広告機能自体の向上をも実現する。
【００２３】
また、広告の管理者は、大型セットボード２に付したＩＣチップ１、及びＩＣチップシール３、並びにＩＣチップシール４の全てにＩＣチップリーダライタをかざすことで、ＩＣチップシール３及びＩＣチップシール４が内蔵するＩＣチップへ書き込まれた各々のアクセス履歴、並びに大型セットボード２を特定するＩＤを読み込む。
【００２４】
ＩＣチップシール３及びＩＣチップシール４により特定する雑誌名及び個別のコンテンツとそのアクセス履歴を収集され、同時にＩＣチップ１により特定する大型セットボード２の設置場所を把握し、大型セットボードごとにこれらデータを集積することにより、広告の設置場所や時間帯を基準とする特性及び評価に係るデータをコンテンツごとに蓄積する。これらアクセス実績のデータに基づく広告成果は、従前の例えば駅広告における平均乗降人員に基づいた広告料金設定に比べてより実態に則した評価基準を提供する。
【００２５】
尚、本発明は雑誌記事に係るデジタルコンテンツの販売に限定するものではなく、映画広告ポスターに連動させたメーキングビデオや予告などの動画、音楽レコードの新譜広告ポスターに連動させたデジタル音楽配信、若しくはこれらを実行するためのパソコン用又は携帯端末用のアプリケーションプログラムのダウンロードなどデジタル商品全般を想定している。
【図面の簡単な説明】
【００２６】
【図１】本発明の実施例を示す図である。
【図２】本発明の実施例を示す図である。
【符号の説明】
【００２７】
１ＩＣチップ
２大型セットボード
３ＩＣチップシール
４ＩＣチップシール
【図１】
2007034362.tif 000003
【図２】
2007034362.tif 000004